(57)【要約】【課題】  物品が適正に廃棄されるように管理する廃棄物管理システム、サーバ、および廃棄物収納容器を提供することを目的とする。【解決手段】  たばこ購入者を識別する個人識別情報と、該個人識別情報とたばこを識別する物品識別情報とを対応付けて記憶する販売物データベース１１を有するサーバ１２、たばこ購入者の個人識別情報を取得し該個人識別情報および該個人識別情報により特定されるたばこ購入者に販売される物品の物品識別情報をネットワーク１３を介してサーバ１２に送信するたばこ自動販売機１４、および廃棄されたたばこの物品識別情報を読み取り該物品識別情報をネットワーク１３を介してサーバ１２に送信する路上灰皿１６を備え、サーバ１２は、販売物データベース１１に記憶されている物品識別情報と路上灰皿１６から送られてきた物品識別情報とを照合する照合部を備えた。【選択図】        図１
2008192121.tif 000002
【特許請求の範囲】
【請求項１】
物品の廃棄を管理する廃棄物管理システムであって、
物品購入者を識別する個人識別情報と、該物品購入者に販売した物品を識別する物品識別情報とを対応付けて記憶するデータベースを有するサーバ、
物品購入者の個人識別情報を取得する個人識別情報取得部と、該個人識別情報取得部で取得した個人識別情報および該個人識別情報により特定される物品購入者に販売される物品の物品識別情報をネットワークを介して前記サーバに送信する販売情報送信部とを有する物品販売装置、および
廃棄された物品の物品識別情報を読み取る廃棄物情報読取部と、該廃棄物情報読取部で読み取った物品識別情報をネットワークを介して前記サーバに送信する廃棄物情報送信部とを有する廃棄物収納容器を備え、
前記サーバは、前記データベースに記憶されている物品識別情報と前記廃棄物収納容器から送られてきた物品識別情報とを照合する照合部を備えたことを特徴とする廃棄物管理システム。
【請求項２】
前記物品販売装置は、物品識別情報が記録されたＩＣタグが付された製品を販売するものであることを特徴とする請求項１記載の廃棄物管理システム。
【請求項３】
前記データベースが、さらに、物品購入者を識別する個人識別情報と、該物品購入者に販売した物品の廃棄物としての、未回収および回収済からなる回収結果とを対応付けて記憶するものであって、
前記照合部は、前記データベースに記憶されている物品識別情報と前記廃棄物収納容器から送られてきた物品識別情報とを照合するとともに、該照合の結果、これら２つの物品識別情報が一致する場合に、前記データベースの、該物品識別情報により特定される物品の回収結果の欄を未回収から回収済に更新するものであり、さらに、
前記照合部は、前記物品販売装置から個人識別情報が送信されてきたことを受けて、前記データベースの、該個人識別情報に対応付けられた、物品の回収結果の欄を参照して、該個人識別情報により特定される個人への物品の再販売条件を決定するものであって、
前記サーバが、さらに、前記再販売条件をネットワークを介して前記物品販売装置に向けて送信する再販売条件送信部を有し、
前記物品販売装置は、前記サーバから送られてきた再販売条件に従って物品の販売を行うものであることを特徴とする請求項１又は２記載の廃棄物管理システム。
【請求項４】
前記物品販売装置は、ひとケース内に、それぞれに同一又は異なる物品識別情報が付された複数の個別物品を収容した物品をケース単位で販売するものであって、
前記データベースは、前記廃棄物収納容器から送られてきた物品識別情報に基づき前記ケース内の複数の個別物品それぞれについての廃棄物としての回収結果を記憶するものであることを特徴とする請求項３記載の廃棄物管理システム。
【請求項５】
前記廃棄物収納容器は、さらに、物品廃棄者の個人識別情報を取得する個人識別情報取得部を備え、
前記廃棄物情報送信部は、前記個人識別情報取得部で取得した物品廃棄者の個人識別情報を、前記廃棄物情報読取部で読み取った物品識別情報とともに、ネットワークを介して前記サーバに送信するものであって、
前記照合部は、物品の廃棄物としての回収結果の欄を未回収から回収済に更新するにあたり、前記廃棄物収納容器から送られてきた、物品廃棄者の個人識別情報に基づいて、物品購入者の個人識別情報と物品廃棄者の個人識別情報とが不一致の場合に物品購入者以外の第三者によって回収されたことを対応付けて更新するとともに、前記廃棄物収納容器から送られてきた個人識別情報により特定される物品廃棄者に有利なサービスを付与することを特徴とする請求項３又は４記載の廃棄物管理システム。
【請求項６】
物品の廃棄を管理する廃棄物管理システムにおける、
物品購入者を識別する個人識別情報と、該物品購入者に販売した物品を識別する物品識別情報とを対応付けて記憶するデータベースを有し、ネットワークを介して、
物品購入者の個人識別情報を取得する個人識別情報取得部と、該個人識別情報取得部で取得した個人識別情報および該個人識別情報により特定される物品購入者に販売される物品の物品識別情報をネットワークを介して前記サーバに送信する販売情報送信部とを有する物品販売装置、および
廃棄された物品の物品識別情報を読み取る廃棄物情報読取部と、該廃棄物情報読取部で読み取った物品識別情報をネットワークを介して前記サーバに送信する廃棄物情報送信部とを有する廃棄物収納容器に接続されてなるサーバであって、
前記データベースに記憶されている物品識別情報と前記廃棄物収納容器から送られてきた物品識別情報とを照合する照合部を備えたことを特徴とするサーバ。
【請求項７】
物品の廃棄を管理する廃棄物管理システムにおける、ネットワークを介して、物品購入者を識別する個人識別情報と、該物品購入者に販売した物品を識別する物品識別情報とを対応付けて記憶するデータベースを有するサーバ、および物品購入者の個人識別情報を取得する個人識別情報取得部と、該個人識別情報取得部で取得した個人識別情報および該個人識別情報により特定される物品購入者に販売される物品の物品識別情報をネットワークを介して前記サーバに送信する販売情報送信部とを有する物品販売装置に接続されてなる、前記物品販売装置で販売された物品が廃棄されてなる廃棄物を収納する廃棄物収納容器であって、
廃棄された物品の物品識別情報を読み取る廃棄物情報読取部と、
前記廃棄物情報読取部で読み取った物品識別情報を、前記サーバにおける該物品識別情報と前記データベースに記憶されている物品識別情報との照合のために、ネットワークを介して前記サーバに送信する廃棄物情報送信部とを有することを特徴とする廃棄物収納容器。
【発明の詳細な説明】
【技術分野】
【０００１】
本発明は、たばこの吸殻や空きボトルなどの物品の廃棄を管理する廃棄物管理システム、その廃棄物管理システムに用いられるサーバおよび廃棄物収納容器に関する。
【背景技術】
【０００２】
未成年者の喫煙や飲酒を防止するために、たばこや酒類の未成年者への販売を規制することが社会的課題の一つとなっている。日本たばこ（株）では、未成年者による自動販売機からのたばこ購入を防止するために、成人のたばこ購入希望者に対して成人識別情報付きのライセンスカード（「たばこカード」）を発行するとともに、２００８年中に、全国に約６２万台あるたばこ自動販売機すべてをライセンスカードによる成人識別機能付きの販売機に切り換えることを決定している。
【０００３】
また、路上への喫煙済みのたばこの吸殻や空きボトルなどの不適正な廃棄（所謂「ポイ捨て」）が一部のマナー違反者によって常態化しており、このポイ捨てを防止することも社会的に要請されている。
【０００４】
そこで、たばこの吸殻、空きボトルなどのポイ捨てを防止する技術として、データの書込み・読出しが可能なＩＣ（Ｉｎｔｅｇｒａｔｅｄ  Ｃｉｒｃｕｉｔ）タグが付加された物品を販売する販売装置と、該販売装置で販売された物品の廃棄を監視する廃棄監視装置とを備えた物品販売システムが開示されている（例えば特許文献１参照）。
【０００５】
この物品販売システムは、利用者の個人識別情報が記録された記録媒体を読み取る媒体読取り、その個人識別情報に基づき物品販売の可否を判定する販売判定部と、販売される物品に付されたＩＣタグに前記個人識別情報を書き込む物品書込み部とを有する販売装置、および該販売装置が販売した物品のＩＣタグから個人識別情報を読み取る物品読取り部と、該物品読取り部が読み取った個人識別情報に対応する利用者に課すべきペナルティを記録するペナルティ記録部とを有する廃棄監視装置を備えている。
【０００６】
しかし、上記特許文献１に開示された物品販売システムは、未成年者によるたばこの購入を抑制する上では有効であるが、不適正な廃棄を防止する方法としては種々の問題がある。すなわち、このシステムでは、人（監視員）により不適正な廃棄物を発見し収集することが前提となっており、収集した廃棄物に付されたＩＣタグに記憶されている個人識別情報を廃棄監視装置で読み取り、廃棄した個人を特定するという仕組みとなっているので、監視者による廃棄物の回収作業に多大の人的コストがかかる上、全ての廃棄物を回収することは事実上不可能に近い。また、たばこやボトルのＩＣタグには購入者の個人識別情報が記録されているので、廃棄された後の吸殻や空きボトルに個人識別情報が残り個人情報保護の点から問題となる恐れもある。
【０００７】
また、たばこの吸殻や空きボトルなどが、回収しにくい側溝などに廃棄された場合や、たばこやボトルに付されたＩＣタグが意図的に破壊された場合などには対応することが出来ない。さらに、適切な場所に廃棄されている吸殻を故意に取り出して路上に投棄するようないたずらやいやがらせ等の行為を防止する対策がないので、ポイ捨てに対して直ちにペナルティを課すわけにはいかない。
【０００８】
一方、物品の販売価格に一定金額の「デポジット（預り金）」を上乗せして販売し、製品や容器が使用後に回収された時にその預り金を返却することにより、製品や容器の回収を促進する「預り金払い戻し方式」が開発され、スウェーデンやノルウェーなどでは一部実用化されている。
【０００９】
この方式の一つととして、自販機でデポジット金額を商品の販売価格に上乗せして徴収し、回収機に商品の空容器が回収されるとデポジット金額を返却するデポジットリファンドシステムであって、自販機で、商品の容器に付いているＩＣタグに、自販機番号と販売番号とを書き込むと共に、自販機から自販機番号と販売番号と商品の購入者の情報とを、ネットワークを介してサーバの管理するデータベースに登録する手段と、ＩＣタグ読取装置を有する端末で、空容器に付いているＩＣタグから自販機番号と販売番号とを読み取り、読み取った自販機番号と販売番号と購入者の情報とを、ネットワークを介してサーバに問い合わせる手段とを備えたデポジットリファンドシステムが開示されている（例えば特許文献２参照）。
【００１０】
しかし、上記特許文献２に開示されたデポジットリファンドシステムでは、適正に廃棄物を処理しなかった購入者にはデポジット（預り金）が受け取れないという消極的な懲罰が課されるのみであり、廃棄物の適正な処理の遵守を促進する効果は十分とはいえない。
【００１１】
また、このデポジットリファンドシステムでは、購入者に関する情報を、例えば住民基本台帳カードなどから取得するなど他の複数のシステムを利用しなければならないという問題がある。
【特許文献１】特開２００５−３３２０６０号公報
【特許文献２】特開２００４−２２７３７４号公報
【発明の開示】
【発明が解決しようとする課題】
【００１２】
本発明は、上記事情に鑑み、物品が適正に廃棄されるように管理する廃棄物管理システム、サーバ、および廃棄物収納容器を提供することを目的とする。
【課題を解決するための手段】
【００１３】
上記目的を達成する本発明の廃棄物管理システムは、
物品の廃棄を管理する廃棄物管理システムであって、
物品購入者を識別する個人識別情報と、該物品購入者に販売した物品を識別する物品識別情報とを対応付けて記憶するデータベースを有するサーバ、
物品購入者の個人識別情報を取得する個人識別情報取得部と、該個人識別情報取得部で取得した個人識別情報および該個人識別情報により特定される物品購入者に販売される物品の物品識別情報をネットワークを介して上記サーバに送信する販売情報送信部とを有する物品販売装置、および
廃棄された物品の物品識別情報を読み取る廃棄物情報読取部と、該廃棄物情報読取部で読み取った物品識別情報をネットワークを介して上記サーバに送信する廃棄物情報送信部とを有する廃棄物収納容器を備え、
上記サーバは、上記データベースに記憶されている物品識別情報と上記廃棄物収納容器から送られてきた物品識別情報とを照合する照合部を備えたことを特徴とする。
【００１４】
本発明の廃棄物管理システムによれば、販売された物品の物品識別情報と廃棄物収納容器から送られてきた物品識別情報とを照合することにより物品が適正に廃棄されるように管理することができる。
【００１５】
ここで、上記物品販売装置は、物品識別情報が記録されたＩＣタグが付された製品を販売するものであることが好ましい。
【００１６】
本発明の廃棄物管理システムを上記のように構成した場合は、低コストでかつ効率よく物品の廃棄を管理することができる。
【００１７】
また、上記データベースが、さらに、物品購入者を識別する個人識別情報と、該物品購入者に販売した物品の廃棄物としての、未回収および回収済からなる回収結果とを対応付けて記憶するものであって、
上記照合部は、上記データベースに記憶されている物品識別情報と上記廃棄物収納容器から送られてきた物品識別情報とを照合するとともに、該照合の結果、これら２つの物品識別情報が一致する場合に、上記データベースの、該物品識別情報により特定される物品の回収結果の欄を未回収から回収済に更新するものであり、さらに、
上記照合部は、上記物品販売装置から個人識別情報が送信されてきたことを受けて、上記データベースの、該個人識別情報に対応付けられた、物品の回収結果の欄を参照して、該個人識別情報により特定される個人への物品の再販売条件を決定するものであって、
上記サーバが、さらに、上記再販売条件をネットワークを介して上記物品販売装置に向けて送信する再販売条件送信部を有し、
上記物品販売装置は、上記サーバから送られてきた再販売条件に従って物品の販売を行うものであってもよい。
【００１８】
本発明の廃棄物管理システムを上記のように構成した場合は、このシステムが保証金預り制度を採用している場合であって、購入された物品が適正に廃棄されたときには、その物品購入者が再び同じ物品を購入する際の再販売条件として、例えば、購入時に預り金として販売価格に加算されていた保証金を返金するなど適正廃棄者にインセンティブを与えることができる。
【００１９】
また、上記個人識別情報取得部は、物品の購入が許可された物品購入者の個人識別情報が記録されたライセンスカードから該個人識別情報を取得するものであってもよい。
【００２０】
本発明の廃棄物管理システムを上記のように構成した場合は、個人の認証操作を容易にすることができるとともに、個人識別情報を正確かつ迅速に取得することができる。
【００２１】
また、上記個人識別情報取得部は、物品の購入が許可された物品購入者の個人識別情報が記録された、電子マネーカードの機能付きのライセンスカードから個人識別情報およびチャージ金額情報を取得するものであって、
上記照合部は、上前記再販売条件を決定するに当たって上記物品の回収結果に基づき前記チャージ金額情報を書き換えるものであってもよい。
【００２２】
本発明の廃棄物管理システムを上記のように構成した場合は、このシステムが電子マネーカード機能付きのライセンスカードを採用している場合であって、たばこ吸殻などが第三者により回収され適正に廃棄されたときには、その第三者の電子マネーカードに所定の奨励金をチャージするなど適正廃棄者にインセンティブを与えることができる。
【００２３】
また、上記物品販売装置は、ひとケース内に、それぞれに同一又は異なる物品識別情報が付された複数の個別物品を収容した物品をケース単位で販売するものであって、
上記データベースは、上記廃棄物収納容器から送られてきた物品識別情報に基づき上記ケース内の複数の個別物品それぞれについての廃棄物としての回収結果を記憶するものであってもよい。
【００２４】
本発明の廃棄物管理システムを上記のように構成した場合は、たばこのように、複数本の個別物品が収容されたケースの形で販売される物品についても、たばこ１本単位の廃棄を管理することができる。
【００２５】
また、上記廃棄物収納容器は、さらに、物品廃棄者の個人識別情報を取得する個人識別情報取得部を備え、
上記廃棄物情報送信部は、上記個人識別情報取得部で取得した物品廃棄者の個人識別情報を、上記廃棄物情報読取部で読み取った物品識別情報とともに、ネットワークを介して上記サーバに送信するものであって、
上記照合部は、物品の廃棄物としての回収結果の欄を未回収から回収済に更新するにあたり、上記廃棄物収納容器から送られてきた、物品廃棄者の個人識別情報に基づいて、物品購入者の個人識別情報と物品廃棄者の個人識別情報とが不一致の場合に物品購入者以外の第三者によって回収されたことを対応付けて更新するとともに、上記廃棄物収納容器から送られてきた個人識別情報により特定される物品廃棄者に有利なサービスを付与するものであってもよい。
【００２６】
本発明の廃棄物管理システムを上記のように構成した場合は、このシステムが電子マネーカード機能付きのライセンスカードを採用している場合であって、たばこの吸殻などがたばこ購入者によってポイ捨てされ、その吸殻が第三者により回収され適正に廃棄されたときには、そのたばこ購入者に懲罰として購入時に預り金として販売価格に加算されていた保証金を没収するとともに、そのポイ捨てされたたばこ吸殻を回収し適正に廃棄した第三者の電子マネーカードに所定の奨励金をチャージするなど適正廃棄者にインセンティブを与えることができる。
【００２７】
また、上記照合部は、上記物品販売装置から個人識別情報が送信されてきたことを受けて該個人識別情報により特定される個人への物品の再販売条件を決定するにあたり、上記データベースに基づいて該個人識別情報により特定される個人のマナーの良し悪しの程度を表すマナーランクを決定し、該マナーランクに応じて、マナーが悪いほど物品購入者にとって不利な再販売条件を決定するものであってもよい。
【００２８】
本発明の廃棄物管理システムを上記のように構成した場合は、たばこ吸殻などを回収し適正に廃棄しているか否かの情報を正確に収集できるので、個人の廃棄物に対するマナーの良し悪しに基づき物品購入者へのたばこの再販売条件を適正に管理することができる。
【００２９】
また、上記照合部は、当該個人への物品の再販売条件を決定するにあたり、再販売禁止を含む再販売条件の中から、当該個人への物品の再販売条件を決定するものであってもよい。
【００３０】
本発明の廃棄物管理システムを上記のように構成した場合は、個人の廃棄物に対するマナーが特に悪い個人に対してはその個人へのたばこの販売を禁止することができる。
【００３１】
また、上記目的を達成する本発明のサーバは、
物品の廃棄を管理する廃棄物管理システムにおける、
物品購入者を識別する個人識別情報と、該物品購入者に販売した物品を識別する物品識別情報とを対応付けて記憶するデータベースを有し、ネットワークを介して、
物品購入者の個人識別情報を取得する個人識別情報取得部と、該個人識別情報取得部で取得した個人識別情報および該個人識別情報により特定される物品購入者に販売される物品の物品識別情報をネットワークを介して上記サーバに送信する販売情報送信部とを有する物品販売装置、および
廃棄された物品の物品識別情報を読み取る廃棄物情報読取部と、該廃棄物情報読取部で読み取った物品識別情報をネットワークを介して上記サーバに送信する廃棄物情報送信部とを有する廃棄物収納容器に接続されてなるサーバであって、
上記データベースに記憶されている物品識別情報と上記廃棄物収納容器から送られてきた物品識別情報とを照合する照合部を備えたことを特徴とする。
【００３２】
本発明のサーバによれば、販売された物品の物品識別情報と、廃棄物収納容器から送られてきた物品識別情報とを照合することにより物品が適正に廃棄されるように管理することができる。
【００３３】
ここで、上記データベースが、物品購入者を識別する個人識別情報と、該物品購入者に販売した物品の廃棄物としての、未回収および回収済からなる回収結果とを対応付けて記憶するものであって、
上記照合部は、上記データベースに記憶されている物品識別情報と上記廃棄物収納容器から送られてきた物品識別情報とを照合するとともに、該照合の結果、これら２つの物品識別情報が一致する場合に、上記データベースの、該物品識別情報により特定される物品の回収結果の欄を未回収から回収済に更新するものであり、さらに、
上記照合部は、上記物品販売装置から個人識別情報が送信されてきたことを受けて、上記データベースの、該個人識別情報に対応付けられた、物品の回収結果の欄を参照して、該個人識別情報により特定される個人への物品の再販売条件を決定するものであって、
当該サーバが、さらに、上記再販売条件をネットワークを介して上記物品販売装置に向けて送信する再販売条件送信部を有するものであってもよい。
【００３４】
本発明のサーバを上記のように構成した場合は、このシステムが保証金預かり制度を採用している場合であって、購入された物品が適正に廃棄されたときには、その物品購入者が再び同じ物品を購入する際の再販売条件として、例えば、購入時に預り金として販売価格に加算されていた保証金を返金するなど適正廃棄者にインセンティブを与えることができる。
【００３５】
また、上記物品販売装置は、ひとケース内に、それぞれに同一又は異なる物品識別情報が付された複数の個別物品を収容した物品をケース単位で販売するものであって、
上記データベースは、上記廃棄物収納容器から送られてきた物品識別情報に基づき上記ケース内の複数の個別物品それぞれについての廃棄物としての回収結果を記憶するものであってもよい。
【００３６】
本発明のサーバを上記のように構成した場合は、たばこのように、複数本の個別物品が収容されたケースの形で販売される物品についても、たばこ１本単位の廃棄を管理することができる。
【００３７】
また、上記廃棄物収納容器は、さらに、物品廃棄者の個人識別情報を取得する個人識別情報取得部を備え、
上記廃棄物情報送信部は、上記個人識別情報取得部で取得した物品廃棄者の個人識別情報を、上記廃棄物情報読取部で読み取った物品識別情報とともに、ネットワークを介して上記サーバに送信するものであって、
上記照合部は、物品の廃棄物としての回収結果の欄を未回収から回収済に更新するにあたり、上記廃棄物収納容器から送られてきた、物品廃棄者の個人識別情報に基づいて、物品購入者の個人識別情報と物品廃棄者の個人識別情報とが不一致の場合に物品購入者以外の第三者によって回収されたことを対応付けて更新するとともに、
上記廃棄物収納容器から送られてきた個人識別情報により特定される物品廃棄者に有利なサービスを付与するものであってもよい。
【００３８】
本発明のサーバを上記のように構成した場合は、このシステムが電子マネーカード機能付きのライセンスカードを採用している場合であって、たばこの吸殻などがたばこ購入者によってポイ捨てされ、その吸殻が第三者により回収され適正に廃棄されたときには、そのたばこ購入者に懲罰として購入時に預り金として販売価格に加算されていた保証金を没収するとともに、そのポイ捨てされたたばこ吸殻を回収し適正に廃棄した第三者の電子マネーカードに所定の奨励金をチャージするなど適正廃棄者にインセンティブを与えることができる。
【００３９】
また、上記照合部は、上記物品販売装置から個人識別情報が送信されてきたことを受けて該個人識別情報により特定される個人への物品の再販売条件を決定するにあたり、上記データベースに基づいて該個人識別情報により特定される個人のマナーの良し悪しの程度を表すマナーランクを決定し、該マナーランクに応じて、マナーが悪いほど物品購入者にとって不利な再販売条件を決定するものであってもよい。
【００４０】
本発明のサーバを上記のように構成した場合は、たばこ吸殻などを回収し適正に廃棄しているか否かの情報を正確に収集できるので、個人の廃棄物に対するマナーの良し悪しに基づき物品購入者へのたばこの再販売条件を適正に管理することができる。
【００４１】
また、上記照合部は、当該個人への物品の再販売条件を決定するにあたり、再販売禁止を含む再販売条件の中から、当該個人への物品の再販売条件を決定するものであってもよい。
【００４２】
本発明のサーバを上記のように構成した場合は、個人の廃棄物に対するマナーが特に悪い個人に対してはその個人へのたばこの販売を禁止することができる。
【００４３】
また、上記目的を達成する本発明の廃棄物収納容器は、
物品の廃棄を管理する廃棄物管理システムにおける、ネットワークを介して、物品購入者を識別する個人識別情報と、該物品購入者に販売した物品を識別する物品識別情報とを対応付けて記憶するデータベースを有するサーバ、および物品購入者の個人識別情報を取得する個人識別情報取得部と、該個人識別情報取得部で取得した個人識別情報および該個人識別情報により特定される物品購入者に販売される物品の物品識別情報をネットワークを介して上記サーバに送信する販売情報送信部とを有する物品販売装置に接続されてなる、上記物品販売装置で販売された物品が廃棄されてなる廃棄物を収納する廃棄物収納容器であって、
廃棄された物品の物品識別情報を読み取る廃棄物情報読取部と、
上記廃棄物情報読取部で読み取った物品識別情報を、上記サーバにおける該物品識別情報と上記データベースに記憶されている物品識別情報との照合のために、ネットワークを介して上記サーバに送信する廃棄物情報送信部とを有することを特徴とする。
【００４４】
本発明の廃棄物収納容器によれば、販売された物品の物品識別情報と廃棄物収納容器から送られてきた物品識別情報とを照合することにより物品が適正に廃棄されるように管理することができる。
【００４５】
ここで、さらに、物品廃棄者の個人識別情報を取得する個人識別情報取得部を備え、
上記廃棄物情報送信部は、上記個人識別情報取得部で取得した物品廃棄者の個人識別情報を、上記廃棄物情報読取部で読み取った物品識別情報とともに、ネットワークを介して上記サーバに送信するものであってもよい。
【００４６】
本発明の廃棄物収納容器を上記のように構成した場合は、このシステムが電子マネーカード機能付きのライセンスカードを採用している場合であって、たばこの吸殻などがたばこ購入者によってポイ捨てされその吸殻が第三者により回収され適正に廃棄されたときには、そのたばこ購入者に懲罰として購入時に預り金として販売価格に加算されていた保証金を没収するとともに、そのポイ捨てされたたばこ吸殻を回収し適正に廃棄した第三者の電子マネーカードに所定の奨励金をチャージするなど適正廃棄者にインセンティブを与えることができる。
【発明の効果】
【００４７】
本発明によれば、物品が適正に廃棄されたか否かが精度よく管理されるので、物品の不適正な廃棄を効果的に抑制するとともに、適正な廃棄を行った個人にインセンティブが与えられるので適正な廃棄が促進される。
【発明を実施するための最良の形態】
【００４８】
以下、図を参照して本発明の実施の形態を説明する。
【００４９】
図１は、本発明の廃棄物管理システムの第１の実施形態を示す図である。
【００５０】
図１に示すように、第１の実施形態の廃棄物管理システムは、販売物データベース１１を有するサーバ１２、たばこ購入者のライセンスＩＤ（Ｉｄｅｎｔｉｆｉｃａｔｉｏｎ）を取得し該ライセンスＩＤおよび該たばこ購入者に販売されるたばこに付されたたばこＩＤをネットワーク１３を介してサーバ１２に送信するたばこ自動販売機１４、たばこ販売店の店頭に設置され、たばこ自動販売機１４と同様、ライセンスＩＤおよびたばこＩＤをネットワーク１３を介してサーバ１２に送信する店頭用ＩＤ承認装置１５、廃棄されたたばこのたばこＩＤを読み取り読み取ったたばこＩＤをネットワーク１３を介してサーバ１２に送信する路上灰皿１６、および路上灰皿１６と同様、たばこＩＤを読み取り読み取ったたばこＩＤをネットワーク１３を介してサーバ１２に送信する家庭用灰皿１７を備えている。
【００５１】
サーバ１２は、販売物データベース１１に記憶されているたばこＩＤと路上灰皿１６又は家庭用灰皿１７から送られてきたたばこＩＤとを照合する照合部１２ａを備えている。
【００５２】
なお、第１の実施形態におけるたばこは、本発明にいう物品の一例に相当するものである。
【００５３】
また、第１の実施形態におけるたばこＩＤは、本発明にいう物品識別情報の一例に相当するものである。
【００５４】
また、第１の実施形態におけるライセンスＩＤは、本発明にいう個人識別情報の一例に相当するものである。
【００５５】
また、第１の実施形態におけるたばこ自動販売機１４および店頭用ＩＤ承認装置１５は、本発明にいう物品販売装置の一例に相当するものである。
【００５６】
また、第１の実施形態における路上灰皿１６および家庭用灰皿１７は、本発明にいう廃棄物収納容器の一例に相当するものである。
【００５７】
図２は、第１の実施形態のたばこ自動販売機で販売されるたばこを示す図である。
【００５８】
図２に示すように、このたばこ自動販売機１４（図１参照）で販売されるたばこ２１のフィルタ部２１ａには、このたばこ２１のたばこＩＤが記録されたＩＣタグ２２およびＩＣタグ２２に記録されているたばこＩＤを送信するためのアンテナ２３が内蔵されている。
【００５９】
図３は、第１の実施形態の廃棄物管理システムに用いられるたばこ自動販売機の構造を示す図である。
【００６０】
図３に示すように、このたばこ自動販売機１４は、サンプルを展示するサンプル展示部１４ａ、硬貨投入口１４ｂ、釣銭戻しレバー１４ｃ、紙幣投入口１４ｄ、釣銭返却口１４ｅ、商品搬出口１４ｆ、液晶表示部１４ｇ、ライセンスカード読取部１４ｈ、個人識別情報取得部１４ｉ、および販売情報送信部１４ｊを備えている。
【００６１】
この個人識別情報取得部１４ｉは、たばこ購入者のライセンスＩＤを取得するものであり、販売情報送信部１４ｊは、個人識別情報取得部１４ｉで取得したライセンスＩＤおよび該ライセンスＩＤにより特定されるたばこ購入者に販売されるたばこのたばこＩＤをネットワーク１３（図１参照）を介してサーバ１２に送信するものである。
【００６２】
第１の実施形態では、たばこ自動販売機１４は、それぞれに同一のたばこＩＤが付された複数本のたばこ２１（図２参照）を一つのたばこケース内に収容したケース入りたばことして販売するようになっており、サーバ１２は、該サーバ１２に備えられた販売物データベース１１（図１参照）を、廃棄物収納容器すなわち路上灰皿１６又は家庭用灰皿１７から送られてきたたばこＩＤに基づき上記ケース内の複数本のたばこの廃棄の履歴を記憶するデータベースとして構築されている。
【００６３】
図４は、第１の実施形態の廃棄物管理システムに用いられる販売物データベースの構成を示す図である。
【００６４】
図４に示すように、この販売物データベース１１は、たばこ購入者を識別するライセンスＩＤ１１ａと、該たばこ購入者に販売した複数本のたばこを識別するたばこＩＤ１１ｂと、該たばこ購入者に販売したケース入りたばこ（２０本入り）を識別するたばこＩＤ１１ｂと、ケース内の２０本のたばこ２１（図２参照）の１本１本の廃棄物としての回収結果１１ｃとを対応付けて記憶するようになっている。
【００６５】
例えば、回収結果１１ｃの欄を未回収であることを表す空欄として初期化しておき、販売物データベース１１に記憶されている物品識別情報と廃棄物収納容器から送られてきた物品識別情報とを照合してこれら２つの物品識別情報が一致する場合にこの販売物データベース１１の該物品識別情報により特定されるたばこの回収結果１１ｃに、回収した日付を書き込むようにすることにより、ケース内のたばこ１本１本の廃棄物としての回収結果を正確に把握することができ、その回収結果に基づきそのたばこ購入者へのたばこの再販売条件を決定することができる。
【００６６】
図５は、第１の実施形態の廃棄物管理システムに用いられるライセンスカードを示す図である。
【００６７】
図５に示すように、第１の実施形態の廃棄物管理システムに用いられるライセンスカード２４には、このライセンスカード所有者のライセンスＩＤが記録されたＩＣタグ２５およびＩＣタグ２５に記録されているライセンスＩＤを送信するためのアンテナ２６が内蔵されている。このライセンスカード２４をたばこ自動販売機１４のライセンスカード読取部１４ｈに挿入することにより、ライセンスカード２４に記録されたライセンスＩＤは個人識別情報取得部１４ｉによって読み取られ、販売情報送信部１４ｊによってサーバ１２に送信される。
【００６８】
このライセンスカード２４は、たばこの喫煙が許される成年者にのみ発行されるようになっている。また、このライセンスカード２４はマネーカード機能を有しており、自販機等で入金（チャージ）が可能である。
【００６９】
なお、第１の実施形態のライセンスカード２４は、本発明にいう記録媒体の一例に相当するものである。
【００７０】
図６は、第１の実施形態の廃棄物管理システムに用いられる路上灰皿の内部を示す図である。
【００７１】
図６に示すように、この路上灰皿１６は、上部に吸殻投入口１６ｂが開口された灰皿筐体１６ａ、吸殻投入口１６ｂから投入された吸殻を収容する収容部１６ｃ、収容部１６ｃの周辺に設置され吸殻に付されたＩＣタグからたばこＩＤを読み取るリーダライタ１６ｄ、およびリーダライタ１６ｄで読み取られたたばこＩＤをネットワーク１３を介してサーバ１２に送信する通信部１６ｅを備えている。
【００７２】
この路上灰皿１６の内部に溜まった吸殻の回収作業を含む灰皿の管理は、許可された灰皿管理者のみにより行われるようになっている。
【００７３】
また、第１の実施形態では、上記路上灰皿１６の他に家庭用灰皿１７（図１参照）が用いられているが、この家庭用灰皿１７は、上記路上灰皿１６と同様の構造を有するものであるので、説明は省略する。
【００７４】
なお、第１の実施形態における路上灰皿１６および家庭用灰皿１７は、本発明にいう廃棄物収納容器の一例に相当するものであり、また、第１の実施形態におけるリーダライタ１６ｄは、本発明にいう廃棄物情報読取部の一例に相当するものであり、また、第１の実施形態における通信部１６ｅは、本発明にいう廃棄物情報送信部の一例に相当するものである。
【００７５】
次に、第１の実施形態の廃棄物管理システムの動作について説明する。
【００７６】
図７は、第１の実施形態の廃棄物管理システムにおけるたばこ購入までの動作の流れを示すフローチャートである。
【００７７】
たばこ購入者３０により、たばこ自動販売機１４（図１参照）の硬貨投入口１４ｂ（図３参照）又は紙幣投入口１４ｄに現金が投入され（ステップＳ０１）、ライセンスカード読取部１４ｈ（図３参照）にライセンスカード２４が挿入される（ステップＳ０２）ことによりライセンスカード２４へのマネーチャージ（入金）が行われる。すなわち、個人識別情報取得部１４ｉ（図３参照）により、ライセンスカード２４からライセンスＩＤが読み取られ、読み取られたライセンスＩＤおよび投入された金額が、販売情報送信部１４ｊ（図３参照）によりネットワーク１３を介してサーバ１２に送信される（ステップＳ０３）。
【００７８】
サーバ１２は、送られてきたライセンスＩＤを販売物データベース１１に記憶されているライセンスＩＤ１１ａ（図４参照）と照合することにより購入者の認証を行う（ステップＳ０４）。認証の結果、そのたばこ購入者が正規のライセンス所有者である場合にはライセンスＩＤおよび投入金額が所定のメモリに記憶される（ステップＳ０５）。
【００７９】
サーバ１２は、ライセンスカード２４の残金額をネットワーク１３を介してたばこ自動販売機１４に送る。たばこ自動販売機１４は、送られてきた残金額を液晶表示部１４ｇに表示する（ステップＳ０６）。たばこ購入者により再びライセンスカード２４が挿入される（ステップＳ０７）と、再びライセンスＩＤが読み取られ、たばこ自動販売機１４からサーバ１２に送信される（ステップＳ０８）。
【００８０】
サーバ１２は、送られてきたライセンスＩＤと、残金額と、販売物データベース１１に記憶されている回収結果１１ｃ（図４参照）とを確認し（ステップＳ０９）、その回収結果に基づいて販売の可否を判断する（ステップＳ１０）。すなわち、そのたばこ購入者の回収結果が、吸殻が適正に廃棄されていることを示すものであることが確認された場合（ステップＳ１１）には、販売を可とする旨がたばこ自動販売機１４に送られ、たばこ自動販売機１４の液晶表示部１４ｇ（図３参照）には購入適格者である旨が表示される（ステップＳ１２）。
【００８１】
そこで、たばこ購入者は、サンプル展示部１４ａに展示されたサンプルの中から購入を希望する銘柄を選びそのボタンを押す（ステップＳ１３）と、たばこ自動販売機１４は、ボタンが押下されたケース入りたばこ２０を選び出し（ステップＳ１４）、その中に収容されている複数本のたばこ２１のたばこＩＤを読み取り、サーバ１２に送信する（ステップＳ１５）。サーバ１２は、購入者のライセンスＩＤとたばこＩＤとの組み合わせを販売物データベース１１に記録し（ステップＳ１６）、残金額からたばこ料金を徴収する（ステップＳ１７）。
【００８２】
ここで、第１の実施形態の廃棄物管理システムにデポジット制（保証金制度）を採用した場合には、たばこ料金に保証金を上乗せした金額で販売され、喫煙後のたばこが適正に廃棄された時にその保証金は払い戻されるように構成される。この保証金は上記ステップＳ１７においてたばこ料金とともに預り金として徴収され、後に吸殻が適正に廃棄された時にそのたばこ購入者に返金される。
【００８３】
次に、たばこ自動販売機１４は、たばこ購入者の指定したケース入りたばこ２０を商品搬出口１４ｆ（図３参照）に搬出する（ステップＳ１８）。こうして購入者は希望する銘柄のたばこを入手することができる（ステップＳ１９）。
【００８４】
一方、ステップＳ１９において、そのたばこ購入者が吸殻を適正に廃棄しているとは認められない場合（ステップＳ２０）には、そのたばこ購入者に対して懲罰が与えられる旨が液晶表示部１４ｇに表示される（ステップＳ２１）。懲罰としては、そのたばこ購入者の回収結果に応じて罰金の徴収、たばこ購入ライセンスの停止、又はライセンスの抹消などが行われる。
【００８５】
図８は、第１の実施形態の廃棄物管理システムでたばこが適正に廃棄された場合の動作の流れを示すフローチャートである。
【００８６】
たばこ購入者３０により、喫煙終了後（ステップＳ３１）のたばこ２１が吸殻（ステップＳ３２）として路上灰皿１６（図６参照）又は家庭用灰皿１７に廃棄される（ステップＳ３３）と、路上灰皿１６又は家庭用灰皿１７は、廃棄された吸殻からたばこＩＤを読み取ってサーバ１２に送信する（ステップＳ３４）。
【００８７】
サーバ１２は送られてきたたばこＩＤを受け取り（ステップＳ３５）、そのたばこＩＤと販売物データベース１１に記録されているたばこＩＤとを照合し（ステップＳ３６）、たばこ購入者３０によりたばこ２１の吸殻が路上灰皿１６又は家庭用灰皿１７に適切に廃棄されたことを販売物データベース１１の回収結果１１ｃ（図４参照）として記録する（ステップＳ３７）。
【００８８】
ここで、たばこ購入者３０が購入した全てのたばこ２１が適正に廃棄されていることが確認されないと、新規にたばこを購入する際に所定のペナルティが課せられる。すなわち、サーバは、吸殻の路上灰皿１６又は家庭用灰皿１７への投棄時刻を記録しておき、投棄の間隔が所定の時間よりも短い場合には、吸殻を投棄したようにみせかけるなどの不正行為が行われたものとみなしてペナルティが課せられる。
【００８９】
なお、第１の実施形態の廃棄物管理システムにおいて、デポジット制が採用されている場合には、ステップＳ３７で回収結果を更新した後、ステップＳ１７でたばこ購入者から預かった保証金をそのたばこ購入者に返金する（ステップＳ３８）。
【００９０】
デポジット制の代わりに、ポイントサービス制を導入してもよい。すなわち、たばこ購入者が吸殻を適正に廃棄した場合には、すなわち路上灰皿１６又は家庭用灰皿１７に吸殻が廃棄された場合にはその吸殻に付されたたばこＩＤからライセンスＩＤが特定され、そのライセンスＩＤに対してポイントが付与される。このポイントを付与されたたばこ購入者には、次回のたばこ購入の際にそのポイントをたばこ料金として利用できるという特典が与えられる。
【００９１】
図９は、第１の実施形態の廃棄物管理システムでたばこが不正に廃棄された場合の動作の流れを示すフローチャートである。
【００９２】
たばこ購入者３０により、喫煙終了後（ステップＳ４１）のたばこ２１が路上にポイ捨てされて（ステップＳ４２）、吸殻となり（ステップＳ４３）、そのポイ捨て（ステップＳ４４）された吸殻が、ポイ捨て監視員４０により回収され（ステップＳ４５）、ポイ捨て監視員４０の所持するＲＦＩＤ（Ｒａｄｉｏ  ｆｒｅｑｕｅｎｃｙ  ｉｄｅｎｔｉｆｉｃａｔｉｏｎ）リーダ４１によりその吸殻に付されたたばこＩＤが読み取られ、サーバ１２に送信される（ステップＳ４６）。サーバ１２は、送られてきたたばこＩＤを受け取り、そのたばこＩＤと販売物データベース１１に記録されているライセンスＩＤとを照合し（ステップＳ４７）、販売物データベース１１の回収結果１１ｃ（図４参照）を更新する（ステップＳ４８）。これにより、そのライセンスＩＤの所有者を、一時、購入不適格者として設定する。さらに、第１の実施形態の廃棄物管理システムがデポジット制を採用している場合には、そのライセンスＩＤの所有者から、たばこ購入時に預かった保証金を徴収する（ステップＳ４９）。
【００９３】
こうして、第１の実施形態の廃棄物管理システムによれば、購入者ＩＤと購入したたばこのたばこＩＤと、さらに回収結果とを管理することにより、不適正な廃棄を防止することができる。さらに、デポジット制を採用した場合には、路上にポイ捨てされた吸殻を回収した吸殻拾得者に、報奨金を支給するようにして、ポイ捨てされた吸殻の回収を促進することも可能である。
【００９４】
次に、本発明の第２の実施形態について説明する。
【００９５】
図１０は、本発明の廃棄物管理システムの第２の実施形態を示す図である。
【００９６】
図１０に示すように、第２の実施形態の廃棄物管理システムは、サーバ１２０、ネットワーク１３、たばこ自動販売機１４０、店頭用ＩＤ承認装置１５、路上灰皿１６、家庭用灰皿１７を備えている。これらのうち、サーバ１２０およびたばこ自動販売機１４０以外はすべて第１の実施形態におけるものと同じものであるので、サーバ１２０およびたばこ自動販売機１４０について以下に詳しく説明する。
【００９７】
第２の実施形態におけるサーバ１２０は、第１の実施形態におけると同様の販売物データベース１１のほかにマネーカード情報データベース１１２を備えている。
【００９８】
このマネーカード情報データベース１１２は、マネーカードの所有者を識別するマネーカードユーザＩＤと、該マネーカードのチャージ金額情報とを対応付けて記憶するものである。マネーカード情報データベース１１２の詳細については後述する。
【００９９】
また、第２の実施形態におけるサーバ１２０は、第１の実施形態におけると同様の照合部１２０ａのほかに再販売条件送信部１２０ｂを備えている。この照合部１２０ａは、販売物データベース１１に記憶されているたばこＩＤと路上灰皿１６又は家庭用灰皿１７から送られてきたたばこＩＤとを照合するとともに、該照合の結果、これら２つのたばこＩＤ（物品識別情報）が一致する場合に、販売物データベース１１の、該たばこＩＤにより特定される物品の回収結果の欄を未回収から回収済に更新するものであり、さらに、この照合部１２０は、たばこ自動販売機１４０からライセンスＩＤが送信されてきたことを受けて、販売物データベース１１の、該ライセンスＩＤに対応付けられた、物品の回収結果の欄を参照して、該ライセンスＩＤにより特定される個人への物品の再販売条件を決定する。
【０１００】
再販売条件送信部１２ｂは、上記再販売条件をネットワーク１３を介してたばこ自動販売機１４に向けて送信するものであり、たばこ自動販売機１４は、サーバ１２０から送られてきた再販売条件に従って物品の販売を行う。
【０１０１】
なお、この第２の実施形態におけるたばこは、本発明にいう物品の一例に相当するものである。
【０１０２】
また、第２の実施形態におけるたばこＩＤは、本発明にいう物品識別情報の一例に相当するものである。
【０１０３】
また、第２の実施形態におけるライセンスＩＤは、本発明にいう個人識別情報の一例に相当するものである。
【０１０４】
また、第２の実施形態におけるたばこ自動販売機１４および店頭用ＩＤ承認装置１５は、本発明にいう物品販売装置の一例に相当するものである。
【０１０５】
また、第２の実施形態における路上灰皿１６および家庭用灰皿１７は、本発明にいう廃棄物収納容器の一例に相当するものである。
【０１０６】
なお、この第２の実施形態においても、第１の実施形態におけると同様、たばこ自動販売機１４は、それぞれに同一のたばこＩＤが付された複数本のたばこ２１（図２参照）を一つのたばこケース内に収容したケース入りたばことして販売するようになっている。
【０１０７】
次に、第２の実施形態で用いられるマネーカード情報データベースについて説明する。
【０１０８】
図１１は、第２の実施形態の廃棄物管理システムに用いられるマネーカード情報データベースの構成を示す図である。
【０１０９】
図１１に示すように、このマネーカード情報データベース１１２は、マネーカードの所有者を識別するマネーカードユーザＩＤ１１２ａと、チャージ金額更新日時１１２ｂと、チャージ金額残高１１２ｃとを対応付けて記憶するようになっている。
【０１１０】
このマネーカード情報データベース１１２を用いることによって、このマネーカード識別情報によって特定される個人への有利なサービスを付与することができる。
【０１１１】
図１２は、第２の実施形態の廃棄物管理システムにおけるたばこ購入までの動作の流れを示すフローチャートであり、図１３は、第２の実施形態の廃棄物管理システムにおけるたばこが適正に廃棄された場合およびポイ捨てされた場合の動作の流れを示すフローチャートである。
【０１１２】
図１２に示すフローチャートは、図７に示したフローチャートとほぼ同様であり、重複する部分がほとんどであるが、以下に簡単に説明する。
【０１１３】
たばこ購入者３０により、たばこ自動販売機１４（図１参照）の硬貨投入口１４ｂ（図３参照）又は紙幣投入口１４ｄに現金が投入され（ステップＳ１０１）、ライセンスカード読取部１４ｈ（図３参照）にライセンスカード２４が挿入される（ステップＳ１０２）ことによりライセンスカード２４へのマネーチャージ（入金）が行われる。すなわち、個人識別情報取得部１４ｉ（図３参照）により、ライセンスカード２４からライセンスＩＤが読み取られ、読み取られたライセンスＩＤおよび投入された金額が、販売情報送信部１４ｊ（図３参照）によりネットワーク１３を介してサーバ１２に送信される（ステップＳ１０３）。
【０１１４】
サーバ１２は、送られてきたライセンスＩＤを販売物データベース１１に記憶されているライセンスＩＤ１１ａ（図４参照）と照合することにより購入者の認証を行う（ステップＳ１０４）。認証の結果、そのたばこ購入者が正規のライセンス所有者である場合にはライセンスＩＤおよび投入金額が所定のメモリに記憶される（ステップＳ１０５）。
【０１１５】
サーバ１２は、ライセンスカード２４の残金額をネットワーク１３を介してたばこ自動販売機１４に送る。たばこ自動販売機１４は、送られてきた残金額を液晶表示部１４ｇに表示する（ステップＳ１０６）。たばこ購入者により再びライセンスカード２４が挿入される（ステップＳ１０７）と、再びライセンスＩＤが読み取られ、たばこ自動販売機１４からサーバ１２に送信される（ステップＳ１０８）。
【０１１６】
サーバ１２は、送られてきたライセンスＩＤと、残金額と、販売物データベース１１に記憶されている回収結果１１ｃ（図４参照）とを確認し（ステップＳ１０９）、その回収結果に基づいて販売の可否を判断する（ステップＳ１１０）。すなわち、そのたばこ購入者の回収結果が、吸殻が適正に廃棄されていることを示すものであることが確認された場合（ステップＳ１１１）には、販売を可とする旨がたばこ自動販売機１４に送られ、たばこ自動販売機１４の液晶表示部１４ｇ（図３参照）には購入適格者である旨が表示される（ステップＳ１１２）。
【０１１７】
そこで、たばこ購入者は、サンプル展示部１４ａに展示されたサンプルの中から購入を希望する銘柄を選びそのボタンを押す（ステップＳ１１３）と、たばこ自動販売機１４は、ボタンが押下されたケース入りたばこ２０を選び出し（ステップＳ１１４）、その中に収容されている複数本のたばこ２１のたばこＩＤを読み取り、サーバ１２に送信する（ステップＳ１１５）。サーバ１２は、購入者のライセンスＩＤとたばこＩＤとの組み合わせを販売物データベース１１に記録し（ステップＳ１１６）、残金額からたばこ料金を徴収する（ステップＳ１１７）。
【０１１８】
ここで、第２の実施形態の廃棄物管理システムにデポジット制（保証金制度）を採用した場合には、たばこ料金に保証金を上乗せした金額で販売され、喫煙後のたばこが適正に廃棄された時にその保証金は払い戻されるように構成される。この保証金は上記ステップＳ１７においてたばこ料金とともに預り金として徴収され、後に吸殻が適正に廃棄された時にそのたばこ購入者に返金される。
【０１１９】
次に、たばこ自動販売機１４は、たばこ購入者の指定したケース入りたばこ２０を商品搬出口１４ｆ（図３参照）に搬出する（ステップＳ１１８）。こうして購入者は希望する銘柄のたばこを入手することができる（ステップＳ１１９）。
【０１２０】
一方、ステップＳ１１９において、そのたばこ購入者が吸殻を適正に廃棄しているとは認められない場合（ステップＳ１２０）には、そのたばこ購入者に対して懲罰が与えられる旨が液晶表示部１４ｇに表示される（ステップＳ１２１）。懲罰としては、そのたばこ購入者の回収結果に応じて罰金の徴収、たばこ購入ライセンスの停止、又はライセンスの抹消などが行われる。
【０１２１】
次に、たばこ購入者によりたばこが適正に廃棄された場合の処理の流れについて説明する。
【０１２２】
図１３に示すフローチャートの前半部のステップＳ１３５からステップＳ１３８までの、適正な廃棄が行われた場合の処理は、図８に示したフローチャートとほぼ同様であり、重複する部分がほとんどであるが、以下に簡単に説明する。
【０１２３】
たばこ購入者３０により、喫煙終了後（ステップＳ１３１）のたばこ２１が吸殻（ステップＳ１３２）として路上灰皿１６（図６参照）又は家庭用灰皿１７に廃棄される（ステップＳ１３３）と、路上灰皿１６又は家庭用灰皿１７は、廃棄された吸殻からたばこＩＤを読み取ってサーバ１２に送信する（ステップＳ１３４）。
【０１２４】
サーバ１２は送られてきたたばこＩＤを受け取り（ステップＳ１３５）、そのたばこＩＤと販売物データベース１１に記録されているたばこＩＤとを照合し（ステップＳ１３６）、たばこ購入者３０によりたばこ２１の吸殻が路上灰皿１６又は家庭用灰皿１７に適切に廃棄されたことを販売物データベース１１の回収結果１１ｃ（図４参照）として記録する（ステップＳ１３７）。
【０１２５】
ここで、たばこ購入者３０が購入した全てのたばこ２１が適正に廃棄されていることが確認されないと、新規にたばこを購入する際に所定のペナルティが課せられる。すなわち、サーバは、吸殻の路上灰皿１６又は家庭用灰皿１７への投棄時刻を記録しておき、投棄の間隔が所定の時間よりも短い場合には、吸殻を投棄したようにみせかけるなどの不正行為が行われたものとみなしてペナルティが課せられる。
【０１２６】
なお、第２の実施形態の廃棄物管理システムにおいて、デポジット制が採用されている場合には、ステップＳ１３７で回収結果を更新した後、ステップＳ１１７でたばこ購入者から預かった保証金をそのたばこ購入者に返金する（ステップＳ１３８）。
【０１２７】
デポジット制の代わりに、ポイントサービス制を導入してもよい。すなわち、たばこ購入者が吸殻を適正に廃棄した場合には、すなわち路上灰皿１６又は家庭用灰皿１７に吸殻が廃棄された場合にはその吸殻に付されたたばこＩＤからライセンスＩＤが特定され、そのライセンスＩＤに対してポイントが付与される。このポイントを付与されたたばこ購入者には、次回のたばこ購入の際にそのポイントをたばこ料金として利用できるという特典が与えられる。
【０１２８】
図１３に示すフローチャートの後半部のステップＳ１４１〜ステップＳ１４８までの、ポイ捨てが行われた場合の処理について以下に説明する。
【０１２９】
たばこ購入者３０により、喫煙終了後（ステップＳ１４１）のたばこ２１が路上にポイ捨てされ（ステップＳ１４２）、吸殻となる（ステップＳ１４３）。こうしてポイ捨てされた吸殻がポイ捨て監視員４０により回収され（ステップＳ１４４）、ポイ捨て監視員４０の所持するＲＦ−ＩＤ（Ｒａｄｉｏ  Ｆｒｅｑｕｅｎｃｙ  Ｉｄｅｎｔｉｆｉｃａｔｉｏｎ）リーダ４１で、吸殻のＩＣタグ２２（図２参照）に記憶されているたばこＩＤを読み取り、そのたばこＩＤを無線でサーバ１２０に送信する（ステップＳ１４５）。
【０１３０】
サーバ１２０は、送られてきたたばこＩＤに基づき販売物データベース１１（図４参照）を照合してそのたばこＩＤに対応するライセンスＩＤ１１ａ（図４参照）を読み出し（ステップＳ１４６）、そのライセンスＩＤ１１ａに対応する回収結果１１ｃを更新する（ステップＳ１４７）。
【０１３１】
その上で、そのライセンスＩＤにより特定されるたばこ購入者へのたばこの再販売条件を決定する。この場合は、ポイ捨てをしたたばこ購入者をたばこ購入不適格者に設定するとともに、たばこ購入時に預かった保証金を徴収する（ステップＳ１４８）。
【０１３２】
次に、本発明の第３の実施形態について説明する。
【０１３３】
図１４は、本発明の廃棄物管理システムの第３の実施形態を示す図である。
【０１３４】
図１４に示すように、第３の実施形態の廃棄物管理システムは、サーバ２２０、ネットワーク１３、たばこ自動販売機１４０、店頭用ＩＤ承認装置１５、個人識別灰皿１６０を備えている。これらのうち、サーバ２２０および個人識別灰皿１６０以外はすべて第２の実施形態におけるものと同じものであるので、サーバ２２０および個人識別灰皿１６０について以下に詳しく説明する。
【０１３５】
サーバ２２０は、第２の実施形態におけると同様の照合部２２０ａおよび再販売条件送信部２２０ｂを備えている。この照合部２２０ａは、物品の廃棄物としての回収結果の欄を未回収から回収済に更新するにあたり、個人識別灰皿１６０から送られてきた、物品廃棄者の個人識別情報に基づいて、物品購入者の個人識別情報と物品廃棄者の個人識別情報とが不一致の場合に物品購入者以外の第三者によって回収されたことを対応付けて更新するとともに、個人識別灰皿１６０から送られてきた個人識別情報により特定される物品廃棄者に有利なサービスを付与するように構成されている。
【０１３６】
また、第３の実施形態におけるサーバ２２０は、第２の実施形態におけると同様の販売物データベース１１およびマネーカード情報データベース１１２を備えている。
【０１３７】
なお、第３の実施形態における個人識別灰皿１６０は、本発明にいう廃棄物収納容器の一例に相当するものである。
【０１３８】
図１５は、第３の実施形態の廃棄物管理システムに用いられる個人識別灰皿の内部構造を示す図、および個人識別灰皿の上部に設けられた個人識別情報取得部の拡大図である。
【０１３９】
第３の実施形態における個人識別灰皿１６０は、図６に示した路上灰皿１６と同様の、灰皿筐体１６ａ、吸殻投入口１６ｂ、収容部１６ｃ、リーダライタ１６ｄ、および通信部１６ｅを備えており、さらに、物品廃棄者の個人識別情報を取得する個人識別情報取得部１６１を備え、上記通信部１６ｅは、この個人識別情報取得部１６１で取得した物品廃棄者の個人識別情報を、リーダライタ１６ｄで読み取った物品識別情報とともに、ネットワーク１３を介してサーバ２２０に送信するように構成されている。
【０１４０】
個人識別情報取得部１６１は、図１５に示すように個人識別灰皿１６０の上部に設けられており、物品、例えば、路上などにポイ捨てされたたばこの吸殻を回収してこの個人識別灰皿１６０に廃棄した人が、所持しているマネーカードを個人識別情報取得部１６１の識別情報読取り部１６１ａにかざすことにより、マネーカードに記憶されている個人識別情報が読み取られるようになっている。また、識別情報読取り部１６１ａの横には、この個人識別灰皿１６０を操作する者に操作上の指示を表示する表示部１６１ｂが設けられている。
【０１４１】
通信部１６ｅは、上記個人識別情報取得部１６１で取得した物品廃棄者の個人識別情報を、リーダライタ１６ｄで読み取った物品識別情報とともに、ネットワーク１３を介してサーバ２２０に送信する。
【０１４２】
サーバ２２０の照合部２２０ａ（図１４参照）は、たばこ自動販売機１４０から個人識別情報が送信されてきたことを受けて該個人識別情報により特定される個人への物品の再販売条件を決定するにあたり、上記販売物データベース１１に基づいて該個人識別情報により特定される個人のマナーの良し悪しの程度を表すマナーランクを決定し、該マナーランクに応じて、マナーが悪いほど物品購入者にとって不利な再販売条件を決定するように構成されている。
【０１４３】
図１６は、第３の実施形態の廃棄物管理システムにおけるポイ捨てされたたばこの吸殻が第三者により回収された場合の動作の流れを示すフローチャートである。
【０１４４】
図１６に示すように、たばこ購入者３０が喫煙終了（ステップＳ１５１）後、たばこを路上にポイ捨てすることにより吸殻（ステップＳ１５２）となり、それがたばこ購入者以外の第三者５０により回収され（ステップＳ１５３）、その第三者５０が、所持しているマネーカードを識別情報読取り部１６１ａにかざすと（ステップＳ１５４）、個人識別情報取得部１６１はそのマネーカードに記憶されている個人識別情報を読み取り（ステップＳ１５５）、通信部１６ｅ（図１５参照）はその個人識別情報をサーバ２２０に送信する。サーバ２２０は、マネーカード情報データベース１１２により、受け取った個人識別情報の認証を行う（ステップＳ１５７）。
【０１４５】
ステップＳ１５７における認証が正常に終了すると、サーバ２２０は、マネーカード情報データベース１１２に記録されている上記第三者のマネーカード情報を個人識別灰皿１６０に送信する（ステップＳ１５８）。
【０１４６】
個人識別灰皿１６０は、サーバ２２０から受け取った情報に基づき、表示部１６１ｂ（図１５参照）に「ようこそ○○さん」で始まる操作メニュー画面を表示する（ステップＳ１５９）。第三者５０がその操作メニュー画面に表示された「ポイ捨て吸殻の回収」というメニューを選択すると（ステップＳ１６０）、表示部１６１ｂには、「回収したポイ捨て吸殻を投入して下さい」というメッセージが表示される（ステップＳ１６１）。第三者５０がそのメッセージに従って、回収した吸殻を個人識別灰皿１６０に投入すると（ステップＳ１６２）、リーダライタ１６ｄは投入された吸殻のたばこＩＤを読み取り（ステップＳ１６３）、通信部１６ｅはそのたばこＩＤをサーバ２２０に送信する（ステップＳ１６４）。
【０１４７】
サーバ２２０は、受け取ったたばこＩＤから販売物データベース１１のライセンスＩＤ１１ａ（図４参照）を照合し（ステップＳ１６５）、回収結果１１ｃを更新する（ステップＳ１６６）。さらに、マネーカード情報データベース１１２のたばこ購入者のチャージ金額の中から、たばこ購入時に預かった保証金を差し引き、差引き後のチャージ金額をチャージ金額残高１１２ｃに記録し（ステップＳ１６７）、差し引いた保証金金額を個人識別灰皿１６０に送信する（ステップＳ１６８）。
【０１４８】
個人識別灰皿１６０は、サーバ２２０から送られてきた金額情報にもと付き、表示部１６１ｂ（図１５参照）に、「○○さんに△△円進呈します。マネーカードを提示して下さい。」と表示する（ステップＳ１６９）。この表示を見た○○さんが、所持するマネーカードを個人識別灰皿１６０の識別情報読取り部１６１ａにかざすと（ステップＳ１７０）、個人識別灰皿１６０は、そのマネーカードのＩＣタグ内のチャージ金額に上記サーバ２２０から送られてきた金額を加算してチャージ金額情報を更新し（ステップＳ１７１）、表示部１６１ｂに、「△△円を加算しました。残りは××円です。」と表示する（ステップＳ１７２）。この表示を見た○○さんが、表示部１６１ｂに表示された操作メニューから「確認」を選択し（ステップＳ１７３）、さらに「終了」を選択すると（ステップＳ１７４）、表示部１６１ｂに「操作を終了します。」との表示が行われ、全ての処理を終了する（ステップＳ１７５）。
【０１４９】
このように、第３の実施形態の廃棄物管理システムでは、デポジット制（保証金制度）が採用されており、たばこ購入時に、たばこポイ捨て防止の担保として、購入者のマナーランクに基づいて決定された金額の保証金をたばこ料金と別に徴収しておく。マナーランクはこれまでの吸殻の廃棄履歴、すなわち販売物データベース１１に記録された回収結果１１ｃ（図４参照）から決定され、喫煙後の吸殻を個人識別灰皿１６０（図１４参照）に廃棄することによりランクアップされる。
【０１５０】
たばこ購入者３０がたばこを喫煙終了後、所持しているマネーカードを識別情報読取り部１６１ａにかざすことにより、その個人識別情報を個人識別情報取得部１６１に読み取らせてから、その吸殻を吸殻投入口１６ｂに投入すると、個人識別情報取得部１６１で取得された個人識別情報が、リーダライタ１６ｄで読み取られたたばこＩＤ（物品識別情報）とともにサーバ２２０に送信される。サーバ２２０は、受け取った情報に基づき販売物データベース１１にそのたばこＩＤのたばこがたばこ購入者３０によって適正に廃棄され回収されたことを記録する。それとともに、そのたばこ購入者３０に保証金が返金されるとともに、そのたばこ購入者のマナーランクにポイントが加算される。ポイントが一定以上溜まるとマナーランクが昇格し、たばこ購入時の保証金の金額が減額される。
【０１５１】
しかし、たばこ購入者３０がポイ捨てを行い、そのポイ捨てされた吸殻が第三者により回収され個人識別灰皿１６０に投入されると、ポイ捨てを行ったたばこ購入者３０の保証金は没収され、さらにそのたばこ購入者３０のマナーランクが降格する。
【０１５２】
一方、そのポイ捨てされた吸殻を回収し個人識別灰皿１６０に投入した第三者に対しては、そのマネーカードに、吸殻のたばこＩＤに付随する保証金がチャージされるのでポイ捨て吸殻の回収が促進され、路上美化が促進される。更に保証金の金額は購入者のマナーランクによって異なるので、吸殻回収作業に宝探しのようなゲーム性を与えることも可能である。
【０１５３】
以下に、本発明の各種態様について列挙する。
【０１５４】
（付記１）
物品の廃棄を管理する廃棄物管理システムであって、
物品購入者を識別する個人識別情報と、該物品購入者に販売した物品を識別する物品識別情報とを対応付けて記憶するデータベースを有するサーバ、
物品購入者の個人識別情報を取得する個人識別情報取得部と、該個人識別情報取得部で取得した個人識別情報および該個人識別情報により特定される物品購入者に販売される物品の物品識別情報をネットワークを介して前記サーバに送信する販売情報送信部とを有する物品販売装置、および
廃棄された物品の物品識別情報を読み取る廃棄物情報読取部と、該廃棄物情報読取部で読み取った物品識別情報をネットワークを介して前記サーバに送信する廃棄物情報送信部とを有する廃棄物収納容器を備え、
前記サーバは、前記データベースに記憶されている物品識別情報と前記廃棄物収納容器から送られてきた物品識別情報とを照合する照合部を備えたことを特徴とする廃棄物管理システム。
【０１５５】
（付記２）
前記物品販売装置は、物品識別情報が記録されたＩＣタグが付された製品を販売するものであることを特徴とする付記１記載の廃棄物管理システム。
【０１５６】
（付記３）
前記データベースが、さらに、物品購入者を識別する個人識別情報と、該物品購入者に販売した物品の廃棄物としての、未回収および回収済からなる回収結果とを対応付けて記憶するものであって、
前記照合部は、前記データベースに記憶されている物品識別情報と前記廃棄物収納容器から送られてきた物品識別情報とを照合するとともに、該照合の結果、これら２つの物品識別情報が一致する場合に、前記データベースの、該物品識別情報により特定される物品の回収結果の欄を未回収から回収済に更新するものであり、さらに、
前記照合部は、前記物品販売装置から個人識別情報が送信されてきたことを受けて、前記データベースの、該個人識別情報に対応付けられた、物品の回収結果の欄を参照して、該個人識別情報により特定される個人への物品の再販売条件を決定するものであって、
前記サーバが、さらに、前記再販売条件をネットワークを介して前記物品販売装置に向けて送信する再販売条件送信部を有し、
前記物品販売装置は、前記サーバから送られてきた再販売条件に従って物品の販売を行うものであることを特徴とする付記１又は２記載の廃棄物管理システム。
【０１５７】
（付記４）
前記個人識別情報取得部は、物品の購入が許可された物品購入者の個人識別情報が記録されたライセンスカードから該個人識別情報を取得するものであることを特徴とする付記１から３までのいずれか１項に記載の廃棄物管理システム。
【０１５８】
（付記５）
前記個人識別情報取得部は、物品の購入が許可された物品購入者の個人識別情報が記録された、電子マネーカードの機能付きのライセンスカードから個人識別情報およびチャージ金額情報を取得するものであって、
前記照合部は、前記再販売条件を決定するに当たって前記物品の回収結果に基づき前記チャージ金額情報を書き換えるものであることを特徴とする付記１から３までのいずれか１項に記載の廃棄物管理システム。
【０１５９】
（付記６）
前記物品販売装置は、ひとケース内に、それぞれに同一又は異なる物品識別情報が付された複数の個別物品を収容した物品をケース単位で販売するものであって、
前記データベースは、前記廃棄物収納容器から送られてきた物品識別情報に基づき前記ケース内の複数の個別物品それぞれについての廃棄物としての回収結果を記憶するものであることを特徴とする付記３から５までのいずれか１項に記載の廃棄物管理システム。
【０１６０】
（付記７）
前記廃棄物収納容器は、さらに、物品廃棄者の個人識別情報を取得する個人識別情報取得部を備え、
前記廃棄物情報送信部は、前記個人識別情報取得部で取得した物品廃棄者の個人識別情報を、前記廃棄物情報読取部で読み取った物品識別情報とともに、ネットワークを介して前記サーバに送信するものであって、
前記照合部は、物品の廃棄物としての回収結果の欄を未回収から回収済に更新するにあたり、前記廃棄物収納容器から送られてきた、物品廃棄者の個人識別情報に基づいて、物品購入者の個人識別情報と物品廃棄者の個人識別情報とが不一致の場合に物品購入者以外の第三者によって回収されたことを対応付けて更新するとともに、前記廃棄物収納容器から送られてきた個人識別情報により特定される物品廃棄者に有利なサービスを付与することを特徴とする付記３から６までのいずれか１項に記載の廃棄物管理システム。
【０１６１】
（付記８）
前記照合部は、前記物品販売装置から個人識別情報が送信されてきたことを受けて該個人識別情報により特定される個人への物品の再販売条件を決定するにあたり、前記データベースに基づいて該個人識別情報により特定される個人のマナーの良し悪しの程度を表すマナーランクを決定し、該マナーランクに応じて、マナーが悪いほど物品購入者にとって不利な再販売条件を決定するものであることを特徴とする付記３から７までのいずれか１項に記載の廃棄物管理システム。
【０１６２】
（付記９）
前記照合部は、当該個人への物品の再販売条件を決定するにあたり、再販売禁止を含む再販売条件の中から、当該個人への物品の再販売条件を決定するものであることを特徴とする付記８記載の廃棄物管理システム。
【０１６３】
（付記１０）
物品の廃棄を管理する廃棄物管理システムにおける、
物品購入者を識別する個人識別情報と、該物品購入者に販売した物品を識別する物品識別情報とを対応付けて記憶するデータベースを有し、ネットワークを介して、
物品購入者の個人識別情報を取得する個人識別情報取得部と、該個人識別情報取得部で取得した個人識別情報および該個人識別情報により特定される物品購入者に販売される物品の物品識別情報をネットワークを介して前記サーバに送信する販売情報送信部とを有する物品販売装置、および
廃棄された物品の物品識別情報を読み取る廃棄物情報読取部と、該廃棄物情報読取部で読み取った物品識別情報をネットワークを介して前記サーバに送信する廃棄物情報送信部とを有する廃棄物収納容器に接続されてなるサーバであって、
前記データベースに記憶されている物品識別情報と前記廃棄物収納容器から送られてきた物品識別情報とを照合する照合部を備えたことを特徴とするサーバ。
【０１６４】
（付記１１）
前記データベースが、物品購入者を識別する個人識別情報と、該物品購入者に販売した物品の廃棄物としての、未回収および回収済からなる回収結果とを対応付けて記憶するものであって、
前記照合部は、前記データベースに記憶されている物品識別情報と前記廃棄物収納容器から送られてきた物品識別情報とを照合するとともに、該照合の結果、これら２つの物品識別情報が一致する場合に、前記データベースの、該物品識別情報により特定される物品の回収結果の欄を未回収から回収済に更新するものであり、さらに、
前記照合部は、前記物品販売装置から個人識別情報が送信されてきたことを受けて、前記データベースの、該個人識別情報に対応付けられた、物品の回収結果の欄を参照して、該個人識別情報により特定される個人への物品の再販売条件を決定するものであって、
当該サーバが、さらに、前記再販売条件をネットワークを介して前記物品販売装置に向けて送信する再販売条件送信部を有することを特徴とする付記１０記載のサーバ。
【０１６５】
（付記１２）
前記物品販売装置は、ひとケース内に、それぞれに同一又は異なる物品識別情報が付された複数の個別物品を収容した物品をケース単位で販売するものであって、
前記データベースは、前記廃棄物収納容器から送られてきた物品識別情報に基づき前記ケース内の複数の個別物品それぞれについての廃棄物としての回収結果を記憶するものであることを特徴とする付記１１記載のサーバ。
【０１６６】
（付記１３）
前記廃棄物収納容器は、さらに、物品廃棄者の個人識別情報を取得する個人識別情報取得部を備え、
前記廃棄物情報送信部は、前記個人識別情報取得部で取得した物品廃棄者の個人識別情報を、前記廃棄物情報読取部で読み取った物品識別情報とともに、ネットワークを介して前記サーバに送信するものであって、
前記照合部は、物品の廃棄物としての回収結果の欄を未回収から回収済に更新するにあたり、前記廃棄物収納容器から送られてきた、物品廃棄者の個人識別情報に基づいて、物品購入者の個人識別情報と物品廃棄者の個人識別情報とが不一致の場合に物品購入者以外の第三者によって回収されたことを対応付けて更新するとともに、
前記廃棄物収納容器から送られてきた個人識別情報により特定される物品廃棄者に有利なサービスを付与することを特徴とする付記１１又は１２記載のサーバ。
【０１６７】
（付記１４）
前記照合部は、前記物品販売装置から個人識別情報が送信されてきたことを受けて該個人識別情報により特定される個人への物品の再販売条件を決定するにあたり、前記データベースに基づいて該個人識別情報により特定される個人のマナーの良し悪しの程度を表すマナーランクを決定し、該マナーランクに応じて、マナーが悪いほど物品購入者にとって不利な再販売条件を決定するものであることを特徴とする付記１１から１３のいずれか１項記載のサーバ。
【０１６８】
（付記１５）
前記照合部は、当該個人への物品の再販売条件を決定するにあたり、再販売禁止を含む再販売条件の中から、当該個人への物品の再販売条件を決定するものであることを特徴とする付記１４記載のサーバ。
【０１６９】
（付記１６）
物品の廃棄を管理する廃棄物管理システムにおける、ネットワークを介して、物品購入者を識別する個人識別情報と、該物品購入者に販売した物品を識別する物品識別情報とを対応付けて記憶するデータベースを有するサーバ、および物品購入者の個人識別情報を取得する個人識別情報取得部と、該個人識別情報取得部で取得した個人識別情報および該個人識別情報により特定される物品購入者に販売される物品の物品識別情報をネットワークを介して前記サーバに送信する販売情報送信部とを有する物品販売装置に接続されてなる、前記物品販売装置で販売された物品が廃棄されてなる廃棄物を収納する廃棄物収納容器であって、
廃棄された物品の物品識別情報を読み取る廃棄物情報読取部と、
前記廃棄物情報読取部で読み取った物品識別情報を、前記サーバにおける該物品識別情報と前記データベースに記憶されている物品識別情報との照合のために、ネットワークを介して前記サーバに送信する廃棄物情報送信部とを有することを特徴とする廃棄物収納容器。
【０１７０】
（付記１７）
さらに、物品廃棄者の個人識別情報を取得する個人識別情報取得部を備え、
前記廃棄物情報送信部は、前記個人識別情報取得部で取得した物品廃棄者の個人識別情報を、前記廃棄物情報読取部で読み取った物品識別情報とともに、ネットワークを介して前記サーバに送信するものであることを特徴とする付記１６記載の廃棄物収納容器。
【図面の簡単な説明】
【０１７１】
【図１】本発明の廃棄物管理システムの第１の実施形態を示す図である。
【図２】第１の実施形態のたばこ自動販売機で販売されるたばこを示す図である。
【図３】第１の実施形態の廃棄物管理システムに用いられるたばこ自動販売機の構造を示す図である。
【図４】第１の実施形態の廃棄物管理システムに用いられる販売物データベースの構成を示す図である。
【図５】第１の実施形態の廃棄物管理システムに用いられるライセンスカードを示す図である。
【図６】第１の実施形態の廃棄物管理システムに用いられる路上灰皿の内部を示す図である。
【図７】第１の実施形態の廃棄物管理システムにおけるたばこ購入までの動作の流れを示すフローチャートである。
【図８】第１の実施形態の廃棄物管理システムでたばこが適正に廃棄された場合の動作の流れを示すフローチャートである。
【図９】第１の実施形態の廃棄物管理システムでたばこが不正に廃棄された場合の動作の流れを示すフローチャートである。
【図１０】本発明の廃棄物管理システムの第２の実施形態を示す図である。
【図１１】第２の実施形態の廃棄物管理システムに用いられるマネーカード情報データベースの構成を示す図である。
【図１２】第２の実施形態の廃棄物管理システムにおけるたばこ購入までの動作の流れを示すフローチャートである。
【図１３】第２の実施形態の廃棄物管理システムにおけるたばこが適正に廃棄された場合およびポイ捨てされた場合の動作の流れを示すフローチャートである。
【図１４】本発明の廃棄物管理システムの第３の実施形態を示す図である。
【図１５】第３の実施形態の廃棄物管理システムに用いられる個人識別灰皿の内部構造を示す図、および個人識別灰皿の上部に設けられた個人識別情報取得部の拡大図である。
【図１６】第３の実施形態の廃棄物管理システムにおけるポイ捨てされたたばこの吸殻が第三者により回収された場合の動作の流れを示すフローチャートである。
【符号の説明】
【０１７２】
１１    販売物データベース
１１ａ    ライセンスＩＤ
１１ｂ    たばこＩＤ
１１ｃ    回収結果
１２    サーバ
１２ａ    照合部
１３    ネットワーク
１４    たばこ自動販売機
１４ａ    サンプル展示部
１４ｂ    硬貨投入口
１４ｃ    釣銭戻しレバー
１４ｄ    紙幣投入口
１４ｅ    釣銭返却口
１４ｆ    商品搬出口
１４ｇ    液晶表示部
１４ｈ    ライセンスカード読取部
１４ｉ    個人識別情報取得部
１４ｊ    販売情報送信部
１５    店頭用ＩＤ承認装置
１６    路上灰皿
１６ａ    灰皿筐体
１６ｂ    吸殻投入口
１６ｃ    収容部
１６ｄ    リーダライタ
１６ｅ    通信部
１７    家庭用灰皿
２０    ケース入りたばこ
２１    たばこ
２１ａ    フィルタ部
２２，２５    ＩＣタグ
２３    アンテナ
２４    ライセンスカード
２６    アンテナ
３０    たばこ購入者
４０    ポイ捨て監視員
１１２    マネーカード情報データベース
１１２ａ    マネーカードユーザＩＤ
１１２ｂ    チャージ金額更新日時
１１２ｃ    チャージ金額残高
１２０    サーバ
１２０ａ    照合部
１２０ｂ    再販売条件送信部
１６０    個人識別灰皿
１６１    個人識別情報取得部
１６１ａ    識別情報読取り部
１６１ｂ    表示部
２２０    サーバ
２２０ａ    照合部
２２０ｂ    再販売条件送信部
【図１】
2008192121.tif 000003
【図２】
2008192121.tif 000004
【図３】
2008192121.tif 000005
【図４】
2008192121.tif 000006
【図５】
2008192121.tif 000007
【図６】
2008192121.tif 000008
【図７】
2008192121.tif 000009
【図８】
2008192121.tif 000010
【図９】
2008192121.tif 000011
【図１０】
2008192121.tif 000012
【図１１】
2008192121.tif 000013
【図１２】
2008192121.tif 000014
【図１３】
2008192121.tif 000015
【図１４】
2008192121.tif 000016
【図１５】
2008192121.tif 000017
【図１６】
2008192121.tif 000018